(57)【特許請求の範囲】
【請求項１】
テープ上における位置を示す番地情報を記録可能な磁気記録再生装置であって、前記テープを走行駆動させるキャプスタンを駆動するキャプスタンモータと、前記テープを駆動させるためにメカニズムをテープ走行方向に準じた位置に移動させるローディングモータと、前記テープに記録された信号を読み取るヘッドを有したドラムと、前記ドラムより読み出された情報信号を再生する再生手段と、前記再生手段より出力される情報より画像情報を更新して出力する画像出力手段と、前記再生手段より出力される情報よりテープ上に記録された番地情報を抽出する番地情報検出手段と、前記番地情報検出手段より出力される番地情報から目標番地を演算する目標番地演算手段と、前記目標番地演算手段からの目標番地と前記番地情報検出手段より出力される番地情報とを比較する番地比較判別手段と、前記キャプスタンの回転速度信号をカウントするキャプスタンＦＧカウント手段と、前記キャプスタンＦＧカウント手段から出力されるキャプスタンＦＧカウント数から検索の目標ＦＧカウント数を演算する目標カウント数演算手段と、前記目標カウント数演算手段からの目標カウント数と前記キャプスタンＦＧカウント手段からのキャプスタンＦＧカウント数とを比較するカウント数比較判別手段と、本装置の各種動作指令を入力可能な入力手段と、前記入力手段で入力された情報と前記番地比較判別手段からの比較判別情報と前記カウント数比較判別手段からの比較判別情報とを入力し前記ローディングモータと前記ドラムと前記キャプスタンと前記画像出力手段とを制御する制御手段とを具備したことを特徴とする磁気記録再生装置。
【請求項２】
入力手段からの情報がテープの走行方向を変える指令かどうかを判断し、走行方向を変える指令の場合には、画像出力手段の画像の更新を停止し、目標番地演算手段により目標番地を算出し、キャプスタンによりテープを指令方向と逆方向に走行させ、この時のキャプスタンＦＧカウント数から目標カウント数演算手段により目標カウント数を算出し、ローディングモータをテープ指令方向に準じたメカニズム位置まで移動させ、前記キャプスタンによりテープを指令方向に走行させ、番地情報検出手段より出力される番地情報と目標番地と番地比較判別手段にて逐次比較を行い、キャプスタンＦＧカウント手段より出力されるキャプスタンＦＧ数と目標カウント数とカウント数比較判別手段にて逐次比較を行い、番地比較判別手段またはカウント数比較判別手段の判別情報により、画像出力手段の画像更新を行うことにより、メカニズムの精度に依存せずテープの送り方向が変化しても画像を連続的に更新することを特徴とする請求項１記載の磁気記録再生装置。
【発明の詳細な説明】
【０００１】
【発明の属する技術分野】
本発明は、番地情報をテープ上に記録し、そのテープの走行方向に関係なく連続して画像を再生する磁気記録再生装置に関するものである。
【０００２】
【従来の技術】
小型化された磁気記録再生装置ではテープを正方向（通常再生）に走行させる場合と、逆方向（巻き戻し再生）に走行させる場合とで、メカニズムの位置を変える方式を採ることによりメカニズムの小型化やテープ走行の安定化の保証を行ってきた。ここでいうメカニズムの位置を変える方式というのは、リール駆動を制御するアイドラや、テープテンションを検出するテンションポスト、キャプスタンに圧着脱するピンチローラ、モータからの駆動力を各部へ伝達する各種歯車などの位置を、テープ正方向走行時と逆方向走行時で変えることをいう。このため、従来は再生画出画中にテープの送り方向を変える場合に、メカニズム位置が変わるためテープ位置もわずかに移動してしまい、連続した画像の出画が出来ないという課題が有った。
【０００３】
従来の磁気記録再生装置におけるテープ走行反転時の実施の形態について図面を参照しながら説明する。図３は従来の磁気記録再生装置におけるテープ走行方向変化時の制御構成を示すブロック図である。図４は従来のテープ走行方向変化時の制御のフローチャートである。
【０００４】
図３において、３０８は映像音声信号などが記録されるテープ、３０９はテープ３０８が巻装されたカセット、３１０はテープ３０８が所定角度巻回され映像音声信号などを記録再生可能なヘッドを有したドラム、３１２はテープ３０８をカセット３０９内から引き出し及び収納可能なローディングポスト、３１１は回転することによりテープ３０８を走行させることができるキャプスタン、３０１はキャプスタン３１１を回転駆動するキャプスタンモータ、３０２はローディングポスト３１２を移動させるよう駆動するローディングモータ、３０３はドラム３１０を高速回転させるドラムモータ、３０４はドラム３１０に設けられたヘッドで再生された映像信号を復調などの再生処理を行い再生映像信号を得る再生信号処理部、３０５は再生信号処理部３０４で得られた再生映像信号を出力する画像出力部で、ビデオカメラに内蔵され出力画像を一時的に記憶する画像メモリと、画像メモリから読み出し画面表示可能な液晶表示部がこれに該当する。３０６は本装置の各種操作指令を行うことができる入力部で、再生指令や早送り／巻き戻し指令、早送り再生／巻き戻し再生などの入力操作を行うことができる。３０７は入力部３０６で入力された操作指令に基づきキャプスタンモータ３０１とドラムモータ３０３とローディングモータ３０２と画像出力部３０５とを制御する制御部である。
【０００５】
以上のように構成された従来の磁気記録再生装置について、図３及び図４を用いて以下その動作について説明する。
【０００６】
まず、通常動作について説明する。例えば入力部３０６より再生指令が入力されると、制御部３０７はローディングモータ３０２に制御信号を出力し、制御部３０７はテープ３０８をカセット３０９から引き出すようローディングポスト３１２を駆動する。次に制御部３０７はキャプスタンモータ３０１及びドラムモータ３０３に制御信号を出力する。キャプスタンモータ３０１はキャプスタン３１１を所定回転数で回転させ、テープ３０８を矢印Ａ方向へ走行させる。またドラムモータ３０３はドラム３１０を高速回転させて、テープ３０８に記録された映像信号をヘッド（図示せず）で再生する。再生された映像信号は再生信号処理部３０４に入力され、復調などの信号処理が施され再生映像信号を得る。得られた再生映像信号は画像出力部３０５に出力され、画像出力部３０５で再生映像を映出する。
【０００７】
画像出力部３０５で再生画像出画中に、入力部３０６から、テープ走行方向を反転（矢印Ｂ方向）させる指令が入力された場合（巻き戻し再生指令）の動作について、図４のフローチャートとともに説明する。まず、再生中に入力部３０６においてテープ走行方向を反転（矢印Ｂ方向）させる巻き戻し再生指令が入力された場合、その指令は制御部３０７が受ける（Ｓ４０１）。制御部３０７は画像出力部３０５の出力画像の更新を停止するよう制御し（Ｓ４０２）、キャプスタンモータ３０１の駆動を停止してキャプスタン３１１の回転を停止させることによりテープ走行を停止させる（Ｓ４０３）。次に、ローディングモータ３０２を制御することによりメカニズムの位置をテープ走行方向に準じた位置まで移動させる（Ｓ４０４）。ここで、メカニズムの位置移動とは、テープ正方向走行時にキャプスタンモータ３０１の駆動力を巻き取りリールに伝達していたのを、アイドラや各種歯車の位置を変え、キャプスタンモータ３０１の駆動力を供給リール側に伝達する動作をいう。次に、キャプスタン３１１を指令のテープ走行方向に回転させテープ３０８を走行させる（Ｓ４０５）。ドラム３０３から再生信号処理部３０４において再生される画像データが取得出来れば（Ｓ４０６）、画像出力部３０５の出力画像の更新を行う（Ｓ４０７）。
【０００８】
【発明が解決しようとする課題】
しかしながら上記の従来の構成では、テープ走行方向に応じたメカニズムの移動の一部であるキャプスタンに対するピンチローラの圧着脱に伴うテープ位置ずれと、テープ３０８のドラム３０３に対する浮きにより、テープ走行方向反転時に画像が連続せず、画像欠落して再生されるという問題点を有していた。
【０００９】
本発明は上記問題点を解決するもので、メカニズムの位置変更によって生じるテープ位置ずれとドラムに対するテープ浮きの影響を除き、かつテープ走行方向反転時に再生画像の更新を停止したテープ上の番地情報と、キャプスタンのＦＧパルスのカウント数から、テープの位置と移動距離を計測し更新すべき画像を検索することにより、テープ走行方向反転時にも画像が連続して再生することが可能な磁気記録再生装置を提供することを目的とする。
【００１０】
【課題を解決するための手段】
この目的を達成するために本発明は、再生手段より出力される情報よりテープ上に記録された番地を抽出する番地情報検出手段と、番地情報検出手段より出力される番地情報から検索の目標番地を演算する目標番地演算手段と、目標番地演算手段からの目標番地と番地情報検出手段より出力される番地情報とを比較する番地比較判別手段と、テープを走行させるキャプスタンのＦＧ信号をカウントするキャプスタンＦＧカウント手段と、キャプスタンＦＧカウント手段から出力されるキャプスタンＦＧカウント数から検索の目標ＦＧカウント数を演算する目標カウント数演算手段と、目標カウント数演算手段からの目標カウント数と前記キャプスタンＦＧカウント手段からのキャプスタンＦＧカウント数とを比較するカウント数比較判別手段と、入力手段からの情報と番地比較判別手段からの比較判別情報とカウント数比較判別手段からの比較判別情報とを入力しローディングモータとドラムとキャプスタンと画像出力手段を制御する制御手段の構成を有している。
【００１１】
そしてこのような構成により、メカニズムの位置変更によって生じるテープ位置ずれとドラムに対するテープ浮きの影響を除き、かつテープ走行方向反転時に再生画像の更新を停止したテープ上の番地情報と、キャプスタンのＦＧパルスのカウント数から、テープの位置と移動距離を計測し更新すべき画像を検索することにより、テープ走行方向反転時にも画像が連続して再生することが可能な磁気記録再生装置を提供することを目的とする。
【００１２】
【発明の実施の形態】
本発明の請求項１および２に記載の発明は、テープ上に番地を記録する磁気記録再生装置において、テープを駆動させるキャプスタンと、テープを駆動させるためにメカニズムをテープ走行方向に準じた位置に動かすためのローディングモータと、前記テープに対しヘッドを回転走査して再生信号を出力するドラムと、前記ドラムより読み出された情報信号を再生するための再生手段と、前記再生手段より出力される情報より画像情報を更新し出力する画像出力手段と、前記再生手段より出力される情報よりテープ上に記録された番地を抽出する番地情報検出手段と、前記番地情報検出手段より出力される番地情報から検索の目標番地を演算する目標番地演算手段と、前記目標番地演算手段からの目標番地と前記番地情報検出手段より出力される番地情報とを比較する番地比較判別手段と、前記キャプスタンのＦＧ信号をカウントするキャプスタンＦＧカウント手段と、前記キャプスタンＦＧカウント手段から出力されるキャプスタンＦＧカウント数から検索の目標ＦＧカウント数を演算する目標カウント数演算手段と、前記目標カウント数演算手段からの目標カウント数と前記キャプスタンＦＧカウント手段からのキャプスタンＦＧカウント数とを比較するカウント数比較判別手段と、装置の再生状態を指定する入力手段と、前記入力手段からの情報と前記番地比較判別手段からの比較判別情報と前記カウント数比較判別手段からの比較判別情報とを入力し前記ローディングモータと前記ドラムと前記キャプスタンと前記画像出力手段を制御する制御手段とを具備し、前記制御手段において前記入力手段からの情報がテープの走行方向を変える指令かどうかを判断し、走行方向を変える指令の場合には、前記画像出力手段の画像の更新を停止し、前記目標番地演算手段により目標番地を算出し、前記キャプスタンによりテープを指令方向と逆方向に走行させ、この時のキャプスタンＦＧカウント数から前記目標カウント数演算手段により目標カウント数を算出し、前記ローディングモーターをテープ指令方向に準じたメカニズム位置まで移動させ、前記キャプスタンによりテープを指令方向に走行させ、前記番地情報検出手段より出力される番地情報と前記目標番地と前記番地比較判別手段において逐次比較を行い、前記キャプスタンＦＧカウント手段より出力されるキャプスタンＦＧ数と前記目標カウント数と前記カウント数比較判別手段において逐次比較を行い、前記番地比較判別手段または前記カウント数比較判別手段の判別情報により、前記画像出力手段の画像更新を行うことにより、メカニズムの精度に依存せずテープの送り方向が変化しても画像を連続的に更新するものであり、テープを一旦目標走行方向とは逆に走行させた後目標方向に走行させることにより、メカニズムによるテープ位置ずれとテープ浮きの影響を除き、かつテープ走行方向反転時に再生画像の更新を停止したテープ上の番地と、テープを移動させた距離を測るためにキャプスタンのＦＧパルスのカウント数から、テープの位置と移動距離を計測し更新すべき画像を検索することにより、テープ走行方向反転時にも画像を連続して再生することが出来る。
【００１３】
以下、本発明の実施の形態について、図面を参照しながら説明する。
（実施の形態１）
図１は本発明の実施の形態における磁気記録再生装置のブロック図、図２は本発明の実施の形態における手順を示すフローチャートである。図１において、１２１はテープ１１８を正方向または逆方向へ走行駆動させるキャプスタンで、図１において矢印Ａ方向を正方向、矢印Ｂ方向を逆方向とし、本実施の形態では正方向を通常再生、逆方向を巻き戻し再生として説明するが、走行方向が正逆明確であればこれに限定されない。１０１はキャプスタン１２１を回転駆動するキャプスタンモータ、１２２はテープ１１８をカセット１１９内から引き出すローディングポスト、１０２はローディングポスト１２２を移動させテープ１１８を駆動させるためにメカニズムをテープ走行方向に準じた位置に移動させるローディングモータ、１２０はテープ１１８に対しヘッドを回転走査してテープ１１８に記録された再生信号を抽出するドラム、１０３はドラム１２０を所定回転数で回転駆動するドラムモータ、１０４はドラム１０３より読み出された情報信号を再生するための再生信号処理手段である再生信号処理部で、テープ１１８に記録された映像音声信号とともにテープ位置を示す番地情報も再生可能とする。１０５は再生信号処理部１０４より出力される情報より画像情報を更新し出力する画像出力手段である画像出力部で、例えばビデオカメラに内蔵され出力する画像を一時的に記憶する画像メモリと、画像メモリから読み出されて画面表示可能な液晶表示部がこれに該当する。１０６は再生信号処理部１０４より出力される情報よりテープ１１８上に記録された番地情報を抽出する番地情報検出手段である番地情報検出部、１０７は番地情報検出部１０６より出力される番地情報から検索の目標番地を演算する目標番地演算手段である目標番地演算部、１０８は目標番地演算部１０７からの目標番地と番地情報検出部１０６より出力される番地情報とを比較する番地比較判別手段である番地比較判別部、１０９はキャプスタン１２１の回転速度信号であるＦＧ信号をカウントするキャプスタンＦＧカウント手段であるキャプスタンＦＧカウント部、１１０はキャプスタンＦＧカウント部１０９から出力されるキャプスタンＦＧカウント数から検索の目標ＦＧカウント数を演算する目標カウント数演算手段である目標カウント数演算部、１１１は目標カウント数演算部１１０からの目標カウント数とキャプスタンＦＧカウント部１０９からのキャプスタンＦＧカウント数とを比較するカウント数比較判別手段であるカウント数比較判別部、１１２は本装置の各種動作指令が入力可能な入力手段である入力部で、再生指令や早送り／巻き戻し指令、早送り再生／巻き戻し再生指令などを指令可能とする。１１３は入力部１１２からの入力情報と番地比較判別部１０８からの比較判別情報とカウント数比較判別部１１１からの比較判別情報とを入力しローディングモータ１０２とドラムモータ１０３とキャプスタンモータ１０１と画像出力部１０５とを制御する制御手段である制御部である。
【００１４】
以上のように構成された本実施の形態の磁気記録再生装置において、図１と図２を用いてその動作を説明する。
【００１５】
まず、テープ１１８の通常再生中に巻き戻し再生指令が入力された時の動作について説明する。
【００１６】
テープ１１８の再生中（正方向走行中）に入力部１１２よりテープ走行方向を逆方向にする指令（巻き戻し再生指令）を制御部１１３が受けたとき（Ｓ２０１）、制御部１１３は画像出力部１０５に画像の更新を停止し現在出画している画像を出画し続けるように指令する（Ｓ２０２）と同時に、ドラム１２０から読み出された情報信号を再生信号処理部１０４を通して番地情報検出部１０６により現在位置のテープ１１８の番地情報を抽出し、番地情報検出部１０６で抽出した番地情報から、目標番地演算部１０７により検索位置の目標番地に固定値を加算または減算することにより算出する（Ｓ２０３）。演算の方法は、入力部１１２より入力指令されたテープの走行方向が正方向の時は減算を行い、逆方向の時は加算を行う。
【００１７】
この後、制御部１１３はキャプスタンモータ１０１に対して、入力部１１２より入力指令されたテープ走行方向とは逆方向にテープ走行を行わせるよう制御（Ｓ２０４）する。本実施の形態では、入力部１１２より巻き戻し再生指令が入力されたため、正方向にテープを走行させることとなる。この時のキャプスタン１２１の回転速度を、キャプスタンＦＧカウント部１０９によりキャプスタンＦＧのパルス数をカウントし、キャプスタンＦＧカウント部１０９によりカウントされるカウント数から、目標カウント数演算部１１０によりテープ送り量の目標とするＦＧカウント数（目標カウント数）を、テープ移動量のバラツキを考慮に入れて演算することにより算出する（Ｓ２０５）。次に、制御部１１３は、ローディングモータ１０２を制御してメカニズムを入力部１１２より入力指令されたテープ走行方向に準じた位置に動かし（Ｓ２０６）、さらに入力指令されたテープ走行方向にテープ１１８を走行させるためにキャプスタンモータ１０１を駆動制御する（Ｓ２０７）。ここで、テープ走行方向が正方向であればステップＳ２０９へ進み、逆方向であればステップＳ２１１へ進む（Ｓ２０８）。本実施の形態では、ステップＳ２０８におけるテープ走行方向は逆方向であるため、番地情報検出部１０６から出力される現在のテープの番地情報と、目標番地演算部１０７により算出された目標とする番地情報とを、番地比較判別部１０８において逐次比較を行い（Ｓ２０９）、「目標番地≧現在番地」なる条件を満たしていれば比較結果を制御部１１３に出力し、条件を満たしていなければステップＳ２１０へ進む。
【００１８】
ステップＳ２１０では、キャプスタンＦＧカウント部１０９から出力される、入力部１１２より入力指令された走行方向でのキャプスタンＦＧのカウント数と、目標カウント数演算部１１０により算出された目標カウント数とを、カウント数比較判別部１１１において逐次比較を行い、「目標ＦＧカウント数≧ＦＧカウント数」なる条件を満たしていなければステップＳ２０９へ戻り再び番地比較を行うが、条件を満たしていればその比較結果を制御部１１３に出力する。制御部１１３は、番地比較判別部１０８の比較結果（Ｓ２０９における比較結果）と、カウント数比較判別部１１１の比較結果（Ｓ２１０における比較結果）とにより、画像出力部１０５に画像の更新を開始するように画像出力部１０５へ画像更新指令を行う（Ｓ２１３）。
【００１９】
次に、巻き戻し再生中に通常再生指令を行った際の動作について説明する。
テープ１１８の巻き戻し再生中（逆方向走行中）に入力部１１２よりテープ走行方向を正方向にする指令（通常再生指令）を制御部１１３が受けたとき（Ｓ２０１）、制御部１１３は画像出力部１０５に画像の更新を停止し現在出画している画像を出画し続けるように指令する（Ｓ２０２）と同時に、ドラム１２０から読み出された情報信号を再生信号処理部１０４を通して番地情報検出部１０６により現在位置のテープ１１８の番地情報を抽出し、番地情報検出部１０６で抽出した番地情報から、目標番地演算部１０７により検索位置の目標番地（固定値）を加算または減算することにより算出する（Ｓ２０３）。演算の方法は、入力部１１２より入力指令されたテープの走行方向が正方向の時は減算を行う。
【００２０】
この後、制御部１１３はキャプスタンモータ１０１に対して、入力部１１２より入力指令されたテープ走行方向とは逆方向にテープ走行を行わせるよう制御（Ｓ２０４）する。つまり、入力部１１２より通常再生指令が入力されたため、逆方向にテープを走行させることとなる。この時のキャプスタン１２１の回転速度を、キャプスタンＦＧカウント部１０９によりキャプスタンＦＧのパルス数をカウントし、キャプスタンＦＧカウント部１０９によりカウントされるカウント数から、目標カウント数演算部１１０によりテープ送り量の目標とするＦＧカウント数（目標カウント数）を、テープ移動量のバラツキを考慮に入れて演算することにより算出する（Ｓ２０５）。次に、制御部１１３は、ローディングモータ１０２を制御してメカニズムを入力部１１２より入力指令されたテープ走行方向に準じた位置に動かし（Ｓ２０６）、さらに入力指令されたテープ走行方向にテープ１１８を走行させるためにキャプスタンモータ１０１を駆動制御する（Ｓ２０７）。ここで、テープ走行方向が正方向であればステップＳ２０９へ進み、逆方向であればステップＳ２１１へ進む（Ｓ２０８）。本説明ではステップＳ２０８におけるテープ走行方向は正方向であるため、番地情報検出部１０６から出力される現在のテープの番地情報と、目標番地演算部１０７により算出された目標とする番地情報とを、番地比較判別部１０８において逐次比較を行い（Ｓ２１１）、「目標番地≦現在番地」なる条件を満たしていれば比較結果を制御部１１３に出力し、条件を満たしていなければステップＳ２１２へ進む。
【００２１】
ステップＳ２１２では、キャプスタンＦＧカウント部１０９から出力される、入力部１１２より入力指令された走行方向でのキャプスタンＦＧのカウント数と、目標カウント数演算部１１０により算出された目標カウント数とを、カウント数比較判別部１１１において逐次比較を行い、「目標ＦＧカウント数≦ＦＧカウント数」なる条件を満たしていなければステップＳ２１１へ戻り再び番地比較を行うが、条件を満たしていればその比較結果を制御部１１３に出力する。制御部１１３は、番地比較判別部１０８の比較結果（Ｓ２１１における比較結果）と、カウント数比較判別部１１１の比較結果（Ｓ２１２における比較結果）とにより、画像出力部１０５に画像の更新を開始するように画像出力部１０５へ画像更新指令を行う（Ｓ２１３）。
【００２２】
以上のように本実施の形態によれば、テープ走行方向の反転時にも連続した画像の出力が可能となる。
【００２３】
【発明の効果】
以上のように本発明は、テープ走行方向反転時にもメカニズムによるテープ位置ずれとテープ浮きの影響を除き、再生画像を連続して再生することができるという優れた効果を奏するものである。
【図面の簡単な説明】
【図１】本発明の実施の形態における磁気記録再生装置の構成を示すブロック図
【図２】本発明の実施の形態におけるテープ走行方向反転時に連続した画像を出力する手順を示すフローチャート
【図３】従来の磁気記録再生装置の構成を示すブロック図
【図４】従来のにおけるテープ走行方向反転時の手順を示す示すフローチャート
【符号の説明】
１０１  キャプスタン
１０２  ローディングモーター
１０３  ドラム
１０４  再生信号処理部
１０５  画像出力部
１０６  番地情報検出部
１０７  目標番地演算部
１０８  番地比較判別部
１０９  キャプスタンＦＧカウント部
１１０  目標カウント数演算部
１１１  カウント数比較判別部
１１２  入力部
１１３  制御部
【図１】
0003603591.tif 000002
【図２】
0003603591.tif 000003
【図３】
0003603591.tif 000004
【図４】
0003603591.tif 000005